(57)【要約】【課題】  補強材を緊張させて貼付面に貼り付ける際に、その貼付面に緊張具を宛がうように配備する作業を容易にすることができる、補強材の緊張装置を提供する。【解決手段】  緊張装置２は、緊張枠３と、緊張台４と、緊張手段５とを備える。ここで、緊張枠３は、補強材としてのＰＢＯ繊維シート１の一端１ａ側を支持する第一枠部材６と、他端１ｂ側を支持する第二枠部材７と、保持部材８とを有する。緊張台４には、緊張枠３が着脱可能に取り付けられる。緊張手段５は、第二枠部材７を、前記一端１ａ側と前記他端１ｂ側との間の距離が開くように移動させて、ＰＢＯ繊維シート１を緊張させる。そして、第一枠部材６と第二枠部材７との相対位置が保持部材８によって保持されることで、緊張枠３は、ＰＢＯ繊維シート１が緊張された状態で、緊張台４から取り外される。【選択図】  図１
2005350885.tif 000002
【特許請求の範囲】
【請求項１】
構造物の貼付面に貼り付けられる、繊維材あるいは繊維強化材からなる補強材を緊張させるための緊張装置であって、
前記補強材の一端側を支持する第一支持部材と、前記補強材の他端側を支持する第二支持部材と、前記緊張材が緊張された状態を維持すべく、前記第一支持部材と前記第二支持部材との相対位置を保持する保持部材とを有する緊張具と、
その緊張具が着脱可能に取り付けられる緊張台と、
その緊張台に設けられるとともに、前記補強材の一端側を支持した前記第一支持部材および前記補強材の他端側を支持した前記第二支持部材のうちのいずれか一方、あるいは両方を、前記補強材の一端側と他端側との間の距離が開くように移動させて、前記補強材を緊張させる緊張手段とを備え、
前記緊張具は、前記補強材が緊張された状態で、前記緊張台から取り外し可能であることを特徴とする、補強材の緊張装置。
【請求項２】
前記緊張具は、前記補強材の緊張方向と同一方向に伸長可能な枠体からなることを特徴とする、請求項１に記載の補強材の緊張装置。
【請求項３】
前記第二支持部材は、前記第一支持部材が備える案内部材に案内されて、前記第一支持部材に対して、前記補強材の緊張方向と平行する方向にスライド可能であることを特徴とする請求項１または２に記載の補強材の緊張装置。
【請求項４】
前記緊張具は、前記第一支持部材が前記補強材の他端側に近づく方向に移動しないように、前記緊張台に取り付けられ、
前記緊張手段は、前記第二支持部材を、前記補強材の一端側から離れる方向に移動させて、前記補強材を緊張させることを特徴とする、請求項３に記載の補強材の緊張装置。
【請求項５】
前記緊張手段は、前記第二支持部材に引っ掛けられる引っ掛け部材と、前記第二支持部材を引っ張るべく、前記引っ掛け部材を前記補強材の一端側から離れる方向に移動させる移動装置とからなることを特徴とする、請求項４に記載の補強材の緊張装置。
【請求項６】
前記第一支持部材は、前記補強材の緊張方向と平行する方向に延びる一対の延設材と、それら一対の延設材間に掛け渡されて両者を連結するとともに前記補強材の一端側が固定される第一固定部材とからなり、
前記案内部材は、前記一対の延設材により構成されることを特徴とする、請求項３ないし５のいずれか１項に記載の補強材の緊張装置。
【請求項７】
前記延設材には、第一対向片が設けられ、
前記第二支持部材には、そのスライド方向上に、前記第一対向片と対向する第二対向片が設けられ、
前記保持部材は、前記第一対向片と前記第二対向片との間隔を保持することを特徴とする、請求項６に記載の補強材の緊張装置。
【請求項８】
前記保持部材は、前記第一対向片あるいは前記第二対向片のいずれか一方に、回動操作によって前記延設材の延びる方向と平行する方向に移動可能に設けられる、雄ネジ部材からなり、
前記雄ネジ部材は、回動操作によって移動したときに前記第一対向片あるいは前記第二対向片のいずれか他方と当接する当接部を有することを特徴とする、請求項７に記載の補強材の緊張装置。
【発明の詳細な説明】
【技術分野】
【０００１】
この発明は、構造物の貼付面に繊維材または繊維強化材からなる補強材を貼り付けることで、その構造物を補強する、補強材の緊張装置に関するものである。
【背景技術】
【０００２】
従来、構造物として、例えば、橋や高架道路等のコンクリート桁あるいはプレストレストコンクリート桁を後から補強するにあたって、その桁の下面等の貼付面に、補強材としての炭素繊維シートを緊張させて貼り付けることで、その桁を補強することが考えられていた（例えば、特許文献１参照。）。すなわち、この補強にあたって、図１２に示すような、緊張具３０が用いられた。この緊張具３０は、炭素繊維シート３１が張られる基台３２と、前記炭素繊維シート３１に緊張力を付与するとともに、炭素繊維シート３１が緊張された状態を保持するジャッキ３３とから構成されていた。基台３２は、ガイド孔３４ａを備えた第１の基部材３４と、スライド可能となるようガイド孔３４ａに挿通されて案内される第２の基部材３５とからなっていた。そして、ジャッキ３３が、基部材３４、３５をつなぐように取り付けられていた。ここで、炭素繊維シート３１は、基部材３４、３５間に渡され、そして、ジャッキ３３を突っ張るように操作することで、基部材３４、３５が互いにスライドし、炭素繊維シート３１に緊張力が付与された。
【特許文献１】特開２０００−１２９９２９号公報（段落番号００４４、図１１）
【発明の開示】
【発明が解決しようとする課題】
【０００３】
ところで、前記従来の緊張具３０においては、補強材に緊張力を付与するためのジャッキ３３が装備されているため、その緊張具３０の全体重量は、重くなり、それを構造物の貼付面に宛がうように配備する作業において、その取り扱いに難渋する虞があるという問題があった。
【０００４】
この発明は、上記した従来の欠点を解決するためになされたものであり、その目的とするところは、補強材を緊張させて貼付面に貼り付ける際に、その貼付面に緊張具を宛がうように配備する作業を容易にすることができる、補強材の緊張装置を提供することにある。
【課題を解決するための手段】
【０００５】
この発明に係る補強材の緊張装置は、前記目的を達成するために、次の構成からなる。すなわち、
請求項１に記載の発明に係る補強材の緊張装置は、構造物の貼付面に貼り付けられる、繊維材あるいは繊維強化材からなる補強材を緊張させるための緊張装置である。この緊張装置は、前記補強材の一端側を支持する第一支持部材と、前記補強材の他端側を支持する第二支持部材と、前記緊張材が緊張された状態を維持すべく、前記第一支持部材と前記第二支持部材との相対位置を保持する保持部材とを有する緊張具と、その緊張具が着脱可能に取り付けられる緊張台と、その緊張台に設けられるとともに、前記補強材の一端側を支持した前記第一支持部材および前記補強材の他端側を支持した前記第二支持部材のうちのいずれか一方、あるいは両方を、前記補強材の一端側と他端側との間の距離が開くように移動させて、前記補強材を緊張させる緊張手段とを備える。そして、前記緊張具は、前記補強材が緊張された状態で、前記緊張台から取り外し可能となっている。
【０００６】
これによれば、補強材は、その一端側が第一支持部材に支持され、かつ他端側が第二支持部材に支持されるようにして緊張具に張られる。そして、その緊張具を緊張台で支持した状態で、前記緊張具の第一支持部材および第二支持部材のうちのいずれか一方、あるいは両方を、例えばジャッキ等からなる緊張手段によって、補強材の一端側と他端側との間の距離が開くように移動させると、補強材は、引き伸ばされて緊張する。ここで、保持部材によって第一支持部材と第二支持部材との相対位置を保持すると、補強材は、緊張した状態を維持する。これにより、緊張具を緊張台から取り外しても、補強材は、緊張状態を維持することができる。したがって、補強材を構造物の貼付面に貼り付けるにあたっては、緊張具のみを前記貼付面に宛がうように配備すればよい。また、緊張具は、緊張手段を備えないので、軽量なものとなる。
【０００７】
請求項２に記載の発明に係る補強材の緊張装置のように、請求項１に記載の補強材の緊張装置において、前記緊張具は、前記補強材の緊張方向と同一方向に伸長可能な枠体からなるのが望ましい。
【０００８】
また、請求項３に記載の発明に係る補強材の緊張装置のように、請求項１または２に記載の補強材の緊張装置において、前記第二支持部材は、前記第一支持部材が備える案内部材に案内されて、前記第一支持部材に対して、前記補強材の緊張方向と平行する方向にスライド可能であることが望ましい。
【０００９】
また、請求項４に記載の発明に係る補強材の緊張装置のように、請求項３に記載の補強材の緊張装置において、前記緊張具は、前記第一支持部材が前記補強材の他端側に近づく方向に移動しないように、前記緊張台に取り付けられ、前記緊張手段は、前記第二支持部材を、前記補強材の一端側から離れる方向に移動させて、前記補強材を緊張させることが望ましい。このように、緊張具は、第一支持部材が前記補強材の他端側に近づく方向に移動しないように、前記緊張台に取り付けられるので、第二支持部材を、緊張手段によって、補強材の一端側から離れる方向に移動させると、補強材の一端側が固定され、その他端側が引っ張られることとなり、補強材は、緊張される。
【００１０】
また、請求項５に記載の発明に係る補強材の緊張装置のように、請求項４に記載の補強材の緊張装置において、前記緊張手段は、前記第二支持部材に引っ掛けられる引っ掛け部材と、前記第二支持部材を引っ張るべく、前記引っ掛け部材を前記補強材の一端側から離れる方向に移動させる移動装置とからなるのが望ましい。このように、第二支持部材に引っ掛けられる引っ掛け部材が、移動装置によって、第二支持部材を引っ張るように移動することで、補強材は緊張する。
【００１１】
また、請求項６に記載の発明に係る補強材の緊張装置のように、請求項３ないし５のいずれか１項に記載の補強材の緊張装置において、前記第一支持部材は、前記補強材の緊張方向と平行する方向に延びる一対の延設材と、それら一対の延設材間に掛け渡されて両者を連結するとともに前記補強材の一端側が固定される第一固定部材とからなり、前記案内部材は、前記一対の延設材により構成されるのが望ましい。
【００１２】
また、請求項７に記載の発明に係る補強材の緊張装置のように、請求項６に記載の補強材の緊張装置において、前記延設材には、第一対向片が設けられ、前記第二支持部材には、そのスライド方向上に、前記第一対向片と対向する第二対向片が設けられ、前記保持部材は、前記第一対向片と前記第二対向片との間隔を保持するのが望ましい。こうして、第一支持部材の延設材に設けられる第一対向片と第二支持部材に設けられる第二対向片との間隔が、保持部材によって保持されることで、第一支持部材と第二支持部材との相対位置が保持される。
【００１３】
また、請求項８に記載の発明に係る補強材の緊張装置のように、請求項７に記載の補強材の緊張装置において、前記保持部材は、前記第一対向片あるいは前記第二対向片のいずれか一方に、回動操作によって前記延設材の延びる方向と平行する方向に移動可能に設けられる、雄ネジ部材からなり、前記雄ネジ部材は、回動操作によって移動したときに前記第一対向片あるいは前記第二対向片のいずれか他方と当接する当接部を有するのが望ましい。これにより、第一対向片あるいは第二対向片のいずれか一方に設けられた雄ネジ部材を回動操作すると、その雄ネジ部材は、延設材の延びる方向と平行する方向に移動する。そして、前記雄ネジ部材が移動することにより、その雄ネジ部材の当接部が前記第一対向片あるいは第二対向片のいずれか他方と当接するので、前記第一対向片と第二対向片との間隔が保持される。
【発明の効果】
【００１４】
この発明に係る補強材の緊張装置によれば、緊張具を、補強材が緊張された状態で緊張台から分離することができるとともに、その緊張具の重量を軽くできるので、構造物の貼付面に補強材を緊張させて貼り付ける際に、緊張具を貼付面に宛がうように配備する作業が容易となる。
【発明を実施するための最良の形態】
【００１５】
以下、この発明に係る補強材の緊張装置を実施するための最良の形態を図面に基づいて説明する。
【００１６】
図１ないし図９は、この発明に係る補強材の緊張装置の一実施の形態を示す。図中符号１は、補強の対象となる構造物としての、例えば、橋や高架道路等の、コンクリート製の床版Ｓの貼付面Ｓａ（図示実施の形態においては、貼付面Ｓａは、床版Ｓの下面からなる。）に貼り付けられる、繊維材からなる補強材としての、ＰＢＯ（ポリパラフェニレンベンゾビスオキサゾール）繊維シートである。２は、前記ＰＢＯ繊維シート１を緊張させるための緊張装置である。
【００１７】
この緊張装置２は、緊張具としての緊張枠３と、緊張台４と、緊張手段５とを備える。緊張枠３は、前記ＰＢＯ繊維シート１の緊張方向と同一方向に伸長可能な枠体（図示実施の形態においては、平面視略矩形形状の枠体）からなり、ＰＢＯ繊維シート１の一端１ａ側を支持する、第一支持部材としての第一枠部材６と、ＰＢＯ繊維シート１の他端１ｂ側を支持する、第二支持部材としての第二枠部材７と、前記ＰＢＯ繊維シート１が緊張された状態を維持すべく、前記第一枠部材６と前記第二枠部材７との相対位置を保持する保持部材８、８とを有する。緊張台４は、緊張枠３が着脱可能に取り付けられるものである。緊張手段５は、緊張台４に設けられるとともに、前記ＰＢＯ繊維シート１の一端１ａ側を支持した前記第一枠部材６および前記ＰＢＯ繊維シート１の他端１ｂ側を支持した前記第二枠部材７のうちのいずれか一方、あるいは両方を、前記ＰＢＯ繊維シート１の一端１ａ側と他端１ｂ側との間の距離が開くように移動させて、前記ＰＢＯ繊維シート１を緊張させるものである（図示実施の形態においては、緊張手段５は、第二枠部材７を、ＰＢＯ繊維シート１の他端１ｂ側が一端１ａ側から離れる方向に移動させて、前記ＰＢＯ繊維シート１を緊張させるものである。）。
【００１８】
第一枠部材６は、前記第二枠部材７を案内する案内部材９、９を備えている。詳細には、第一枠部材６は、ＰＢＯ繊維シート１の緊張方向と平行する方向に延びるとともに前記案内部材９、９を構成する、一対の平行位置する延設材１０、１０と、それら一対の延設材１０、１０間に掛け渡されて両者を連結するとともにＰＢＯ繊維シート１の一端１ａ側が固定される、第一固定部材１１とからなる。そして、延設材１０、１０の後述する他方の端部には、それぞれ第一対向片１２、１２が設けられている。さらに、図示実施の形態においては、前記第一枠部材６を補強すべく、一対の延設材１０、１０間に掛け渡されて両者を連結する、連結補強材６ａが設けられ、また、延設材１０の前記他方の端部には、後述する、第二枠部材７のガイド板１４、１４の上下方向への動きを規制する規制部材１３、１３が設けられている。
【００１９】
延設材１０は、例えばみぞ形鋼からなり、上壁１０ａ、下壁１０ｂ、および側壁１０ｃを備えている。そして、一対の延設材１０、１０は、その側壁１０ｃ、１０ｃが互いに離れて対面位置するように平行に配置されている。第一固定部材１１は、延設材１０、１０の一方の端部において、両者間に掛け渡されるように固定されている。具体的には、第一固定部材１１は、延設材１０、１０の側壁１０ｃ、１０ｃにボルトＢ１、Ｂ１およびナットＮ１、Ｎ１により固定される固定プレート１１ａ、１１ａと、それら固定プレート１１ａ、１１ａを繋ぐようにそれら固定プレート１１ａ、１１ａの上下の端部にボルト締め等により固定される上下二つの第１プレート１１ｂ、１１ｂと、それら第１プレート１１ｂ、１１ｂの先端面にボルト締め等により固定される第２プレート１１ｃと、前記第１プレート１１ｂ、１１ｂ間に補強プレートとして配備される第３プレート１１ｄとからなる。そして、第２プレート１１ｃには、ＰＢＯ繊維シート１の一端１ａ側を挟んで支持する、定着プレート１１ｅ、１１ｅが、例えばボルト締めによって取り付けられている。また、上側の第１プレート１１ｃの上面には、ＰＢＯ繊維シート１の延びる方向を変更する（図示実施の形態においては、ＰＢＯ繊維シート１の延びる方向を９０度曲げる）偏向部材１１ｆがボルト締め等により固定されている。
【００２０】
連結補強材６ａは、延設材１０、１０の中間部において、両者間に掛け渡されるように固定されている。具体的には、連結補強部材６ａは、延設材１０、１０の側壁１０ｃ、１０ｃにボルトＢ３、Ｂ３およびナットＮ３、Ｎ３により固定される、例えばＬ形鋼からなる取付片６ｂ、６ｂと、それら取付片６ｂ、６ｂを繋ぐようにボルト締め等により固定される、例えばみぞ形鋼からなる連結材６ｃとからなる。
【００２１】
規制部材１３は、上板１３ａと、下板１３ｂと、補強部材１３ｃとからなる。上板１３ａは、上壁１０ａの幅寸法よりも幅広の矩形形状であって、延設材１０の他方の端部、すなわち、前記第一固定部材１１が固定されない側の端部（ＰＢＯ繊維シート１の他端１ｂ側に位置する端部）における上壁１０ａの上面にボルトＢ２、Ｂ２およびナットＮ２、Ｎ２によって取り付けられている。下板１３ｂは、下壁１０ｂの幅寸法よりも幅広の矩形形状であって、延設材１０の前記他方の端部、すなわち、前記第一固定部材１１が固定されない側の端部（ＰＢＯ繊維シート１の他端１ｂ側に位置する端部）における下壁１０ｂの下面にボルトＢ２、Ｂ２およびナットＮ２、Ｎ２によって取り付けられている。ここで、上板１３ａおよび下板１３ｂの側端部は、延設材１０の側壁１０ｃよりも側方に突出しており、それらの突出した部分が第二枠部材７の後述するガイドプレート１４の上端および下端と当接して、第二枠部材７の上下方向の動きを規制する。また、補強部材１３ｃは、例えば縦断面Ｉ字形状に形成されており、延設材１０のみぞ内に嵌め込まれ、上壁１０ａの下面および下壁１０ｂの上面にボルトＢ２、Ｂ２およびナットＮ２、Ｎ２によって取り付けられている。また、補強部材１３ｃには、保持部材８としての後述する雄ネジ部材１７が挿通可能な貫通孔１３ｈが形成されている。
【００２２】
第一対向片１２は、延設材１０の幅寸法とほぼ同一の幅寸法を有するように矩形形状に形成されるとともに、規制部材１３の上板１３ａと下板１３ｂの先端部にボルト締め等により固定されている。ここで、第一対向片１２には、保持部材８としての後述する雄ネジ部材１７が挿通可能な貫通孔１２ａが形成され、かつ、その雄ネジ部材１７が螺合するナットＮが貫通孔１２ａと連通するよう溶接等により固着されている。
【００２３】
第二枠部材７は、第一枠部材６が備える案内部材９、９（図示実施の形態においては、前記一対の延設材１０、１０）に案内されて、前記第一枠部材６に対して、ＰＢＯ繊維シート１の緊張方向と平行する方向にスライド可能となっている。また、第二枠部材７には、そのスライド方向上に、第一対向片１２、１２と対向する第二対向片１６、１６が設けられている。図示実施の形態においては、第二枠部材７は、前記案内部材９、９を構成する、一対の延設材１０、１０の側壁１０ｃ、１０ｃに摺接可能な一対のガイドプレート１４、１４と、それら一対のガイドプレート１４、１４間に掛け渡されて両者を連結するとともにＰＢＯ繊維シート１の他端１ｂ側が固定される第二固定部材１５とを備えている。この第二固定部材１５は、ガイドプレート１４、１４を繋ぐようにそれらガイドプレート１４、１４の上下の端部にボルト締め等により固定される上下二つの第４プレート１５ａ、１５ａと、それら第４プレート１５ａ、１５ａの先端部にボルト締め等により固定される第５プレート１５ｂと、前記第４プレート１５ａ、１５ａ間に補強プレートとして配備される第６プレート１５ｃとからなる。そして、この第５プレート１５ｂには、ＰＢＯ繊維シート１の他端１ｂ側を挟んで支持する、定着プレート１５ｄ、１５ｄが、例えばボルト締めによって取り付けられている。また、上側の第４プレート１５ａの上面には、ＰＢＯ繊維シート１の延びる方向を変更する（図示実施の形態においては、ＰＢＯ繊維シート１の延びる方向を９０度曲げる）偏向部材１５ｅがボルト締め等により固定されている。なお、図示実施の形態においては、第５プレート１５ｂの両側端部部分が、それぞれ第二対向片１６、１６となっている。
【００２４】
保持部材８は、第一対向片１２と第二対向片１６との間隔を保持することで、前記第一枠部材６と第二枠部材７との相対位置を保持するものである。詳細には、保持部材８は、第一対向片１２あるいは第二対向片１６のいずれか一方（図示実施の形態においては、第一対向片１２）に、回動操作によって延設材１０の延びる方向と平行する方向に移動可能に設けられる、雄ネジ部材１７からなる。そして、この雄ネジ部材１７は、回動操作によって移動したときに第一対向片１２あるいは第二対向片１６のいずれか他方（図示実施の形態においては、第二対向片１６）と当接する当接部１７ａを有している。より詳細には、保持部材８（雄ネジ部材１７）は、第一対向片１２に固着されたナットＮと螺合するボルトＢからなり、回動操作によって、第二対向片１６に向かって進退移動する。そして、ボルトＢの頭部Ｂａが、前記当接部１７ａとなっており、ボルトＢが第二対向片１６に向かって進んだときに、第二対向片１６と当接する。
【００２５】
緊張台４は、緊張台本体４ａと、緊張枠３を、その第一枠部材６が前記ＰＢＯ繊維シート１の他端１ｂ側に近づく方向に移動しないように、前記緊張台４に着脱可能に取り付けるための、第一取付部４ｂと、緊張手段５としての後述する移動装置１９を取り付けるための、第二取付部４ｃとを備える。緊張台本体４ａは、例えば、Ｈ形鋼等の形鋼からなり、その上面には、第一取付部４ｂと第二取付部４ｃとがその長手方向の前後に取り付けられ、また、緊張枠３を載せ置く載置部４ｄとしての、例えば、角形鋼等からなる複数（図示実施の形態においては、二つ）の形鋼が幅方向に延びるように溶接等によって前記長手方向の前後に取り付けられている。ここで、第一取付部４ｂは、緊張台本体４ａにボルト締め等により取り付けられる第１ベースプレート４ｉと、その第１ベースプレート４ｉの両側部上面に溶接等によって立ち上がるように取り付けられる第２ベースプレート４ｊ、４ｊとからなる。そして、第一枠部材６の連結補強材６ａを第一取付部４ｂ（詳細には、第一取付部４ｂの第２ベースプレート４ｊ、４ｊ）と対面当接するようにして、緊張枠３を載置部４ｄ、４ｄに載せ置くと、第一枠部材６を、ＰＢＯ繊維シート１の他端１ｂ側に近づく方向に移動させようとしても、連結補強材６ａと第一取付部４ｂとが互いに当接することで、その方向には移動しない。すなわち、緊張枠３は、緊張台４の載置部４ｄ、４ｄに載せ置かれるだけで、その第一枠部材６がＰＢＯ繊維シート１の他端１ｂ側に近づく方向に移動しないように、前記緊張台４に取り付けられることとなる。一方、第二取付部４ｃは、第一取付部４ｂと同様に、緊張台本体４ａにボルト締め等により取り付けられる第１ベースプレート４ｉと、その第１ベースプレート４ｉの中間部上面に溶接等によって立ち上がるように取り付けられる第２ベースプレート４ｊ、４ｊとからなる。
【００２６】
緊張手段５は、第二枠部材７、詳しくは、第二固定部材１５の上側の第４プレート１５ａに引っ掛けられる引っ掛け部材１８と、第二枠部材７を引っ張るべく、前記引っ掛け部材１８を、ＰＢＯ繊維シート１の一端１ａ側から離れる方向、すなわち、ＰＢＯ繊維シート１の一端１ａ側が固定される第一固定部材１１から離れる方向に移動させる、移動装置１９とからなる。具体的には、引っ掛け部材１８は、先端側が鉤状に屈曲形成され、基端側に雄ネジ部が形成された二つの棒状の鉤部材１８ａ、１８ａと、これら鉤部材１８ａ、１８ａが左右に取り付け固定される取付部１８ｂとからなる。この取付部１８ｂは、例えば、みぞ形鋼等からなる上下二つの形鋼１８ｃ、１８ｃと、補強用プレート１８ｄ、１８ｄと、連結プレート１８ｅとからなる。ここで、形鋼１８ｃ、１８ｃは、その背側が若干離れて上下に対向位置するように配置されており、それら形鋼１８ｃ、１８ｃを連結するように連結プレート１８ｅが溶接等により固定されている。また、補強用プレート１８ｄ、１８ｄは、形鋼１８ｃ、１８ｃを補強するために、形鋼１８、１８ｃのみぞ内に溶接等により固定されている。そして、二つの形鋼１８ｃ、１８ｃに挟まれてできた間隙Ｋに、鉤部材１８ａ、１８ａの基端部を挿通させ、かつ、前記雄ネジ部にナット１８ｆ、１８ｆを螺合することで、鉤部材１８ａ、１８ａは、取付部１８ｂに締め付け固定される。一方、移動装置１９は、油圧ジャッキ等のジャッキ１９ａからなり、第二取付部４ｃにボルト締め、あるいは、溶接等により固定される。そして、ジャッキ１９ａのラム１９ｂの先端部分にネジ止め等の手段により取り付けられたフランジ部１９ｃには、前記取付部１８ｂが、前記連結プレート１８ｅを介して、ボルト締め、あるいは、溶接等により取り付け固定されている。
【００２７】
次に、以上の構成からなる緊張装置２を用いてＰＢＯ繊維シート１を緊張させて貼付面Ｓａに貼り付ける作業手順について説明する。
【００２８】
始めに、ＰＢＯ繊維シート１を緊張枠３に張る。詳しくは、ＰＢＯ繊維シート１の両端部１ａ、１ｂを定着プレート１１ｅ、１１ｅおよび１５ｄ、１５ｄで挟むようにして止めるとともに、定着プレート１１ｅ、１１ｅを第一固定部材１１（第２プレート１１ｃ）に、定着プレート１５ｄ、１５ｄを第二固定部材１５（第５プレート１５ｂ）に取り付ける。そして、ＰＢＯ繊維シート１が張られた緊張枠３を、緊張台４に載せ置くように取り付ける。このとき、緊張枠３は、その第一枠部材６の連結補強材６ａが第一取付部４ｂと対面当接するように、緊張台４上に配備される。（図４参照）。なお、ＰＢＯ繊維シート１を緊張枠３に張る作業と、緊張枠３を緊張台４に取り付ける作業とは、いずれが先に行われるものであってもよい。すなわち、まず緊張枠３を緊張台４に取り付け、その後、ＰＢＯ繊維シート１を緊張枠３に張るようにしてもよい。
【００２９】
次いで、緊張手段５を構成する引っ掛け部材１８（詳しくは、鉤部材１８ａ、１８ａ）を、前記緊張枠３の第二枠部材７に引っ掛けるように掛け止めするとともに、緊張手段５を構成するジャッキ１９ａ（移動装置１９）を操作して、そのラム１９ｂを伸ばすように作動させると、第二枠部材７が引っ掛け部材１８を介して引っ張られる。すなわち、ＰＢＯ繊維シート１の他端１ｂ側が引っ張られ、このＰＢＯ繊維シート１は、緊張する。ここで、ＰＢＯ繊維シート１に所要の緊張力が付与されるまで、ラム１９ｂを伸ばす。このとき、第二対向片１６、１６は、第一対向片１２、１２から離れるので、その離れた距離分、ボルトＢ、Ｂを第二対向片１６、１６に向かって進むように回動操作する。これにより、ボルトＢ、Ｂの頭部Ｂａ、Ｂａが第二対向片１６、１６と当接することで、第一対向片１２、１２と第二対向片１６、１６との間隔が保持され、ひいては、第一枠部材６と第二枠部材７との相対位置が保持され、ＰＢＯ繊維シート１の緊張状態が保持される（図６、図７参照）。その後、ジャッキ１９ａを操作して、そのラム１９ｂを縮めるように作動させて、引っ掛け部材１８（詳しくは、鉤部材１８ａ、１８ａ）と第二枠部材７の掛かり合いを解除するとともに、緊張枠３を緊張台４から取り外す。このようにして、緊張枠３を、ＰＢＯ繊維シート１が緊張された状態で、緊張台４から取り外す。
【００３０】
そして、ＰＢＯ繊維シート１および／または床版Ｓの貼付面Ｓａにエポキシ接着剤等の接着剤を塗布し、緊張枠３を床版Ｓの貼付面Ｓａに宛がうように配備し、保持する。ここで、緊張枠３を床版Ｓの下面に配備し、保持するには、例えば、図８および図９に示すように、床版Ｓの下面にアンカー金具Ａ１、Ａ１を取り付け、そのアンカー金具Ａ１、Ａ１に緊張枠３を下方から支持する支持具Ａ２、Ａ２を取り付けるようにしてもよい。具体的には、アンカー金具Ａ１、Ａ１は、その内周面に雌ネジを備えており、床版Ｓの下面に明けられた穴に接着剤等を用いて止められる。支持具Ａ２は、アンカー金具Ａ１、Ａ１にネジ止め等の手段によって取り付けられる、全ネジボルト等の外周部に雄ネジが設けられた一対の棒材Ａ３、Ａ３と、それら一対の棒材Ａ３、Ａ３間に渡される支持材Ａ４（図示実施の形態においては、支持材Ａ４は、二つのみぞ形鋼Ａ５、Ａ５からなり、それらの背側が若干離れて対向するように配置されている。）と、前記棒材Ａ２、Ａ２の下方から締め込まれるナットＡ６、Ａ６とからなっている。そして、アンカーＡ１、Ａ１に棒材Ａ３、Ａ３を取り付け、その下端部をみぞ形鋼Ａ５、Ａ５の間に挿通させるとともに、ナットＡ６、Ａ６を螺合させることで、緊張枠３は、下方から押し上げられるようして支持される。もっとも、緊張枠３を床版３の下面に配備、保持する方法は、前記方法に限らない。
【００３１】
その後、このＰＢＯ繊維シート１を貼付面Ｓａに密着させ、接着剤が所定の強度に達するまで養生する。ここで、ＰＢＯ繊維シート１を貼付面Ｓａに密着させるには、例えば、ＰＢＯ繊維シート１を下方から覆うように、エアバックフィルムを配備し、そのエアバックフィルムの周縁部を床版Ｓの下面に貼り付け、そのエアバックフィルムと床版Ｓとの間の空気を真空ポンプにより吸引することでＰＢＯ繊維シート１を大気圧によって密着させるようにする方法が好適である。そして、接着剤の硬化後には、ＰＢＯ繊維シート１の両端部を切断するとともに、緊張枠３を、床版Ｓから取り除く。こうして、ＰＢＯ繊維シート１は、緊張した状態で、床版Ｓの貼付面Ｓａに貼り付けられる。なお、ＰＢＯ繊維シート１の両端部を切断する前に、あるいは、切断した後に、ＰＢＯ繊維シート１の両端部の下方からプレートを宛がい、そのプレートを床版Ｓの下面にアンカー等によって固定してもよい。こうすることで、前記ＰＢＯ繊維シート１の両端部が、貼付面Ｓａから剥がれるのを防止することができる。
【００３２】
次に、この実施の形態に示す緊張装置２の作用効果について説明する。ＰＢＯ繊維シート１は、その一端１ａ側が第一固定部材１１に固定されるようにして第一枠部材６に支持され、かつ他端１ｂ側が第二固定部材１５に固定されるようにして第二枠部材７に支持されて、緊張枠３に張られる。そして、その緊張枠３を緊張台４に取り付けた状態で、緊張手段５を構成するジャッキ１９ａを操作して、そのラム１９ｂを伸ばすと、ＰＢＯ繊維シート１の他端１ｂ側が固定された第二枠部材７が引っ掛け部材１８を介して引っ張られる。このとき、ＰＢＯ繊維シート１の一端１ａ側が固定された第一枠部材６は、その連結補強材６ａが緊張台４の第一取付部４ａに対面当接しているため、ＰＢＯ繊維シート１の他端１ｂ側に近づく方向に移動不能となっているので、第二枠部材７は、ジャッキ１９ａに引っ張られることで、第一枠部材６の案内部材９（延設材１０、１０）に案内されて、その第一枠部材６に対してスライド移動する（ここで、延設材１０、１０に規制部材１３、１３が設けられていることで、第二枠部材７は、上下方向への移動が規制されて、スムーズにスライド移動できる。）。したがって、ＰＢＯ繊維シート１の一端１ａ側と他端１ｂ側との間の距離が開いて、ＰＢＯ繊維シート１は、引き伸ばされて緊張することとなる。
【００３３】
そして、ＰＢＯ繊維シート１が緊張手段５によって緊張された状態で、第一対向片１２、１２に設けられた保持部材８、８としてのボルトＢ、Ｂを回動操作して、第二対向片１６に向かって進ませ、頭部Ｂａ、Ｂａをその第二対向片１６、１６に当接させると、第一対向片１２、１２と第二対向片１６、１６との間隔が保持され、ひいては、第一枠部材６と第二枠部材７の相対位置が保持されることで、ＰＢＯ繊維シート１の緊張した状態を維持することができる。これにより、緊張枠３を緊張台４から取り外しても、ＰＢＯ繊維シート１は、緊張状態を維持することができる。すなわち、緊張枠３は、ＰＢＯ繊維シート１が緊張された状態で、緊張台か４から取り外し可能である。したがって、ＰＢＯ繊維シート１を緊張させた状態で床版Ｓの貼付面Ｓａに貼り付けるにあたっては、緊張枠３を緊張台４から取り外し、その緊張枠３のみを前記貼付面Ｓａに宛がうように配備すればよい。このとき、緊張枠３は、緊張手段５（ジャッキ１９ａ）を備えないので、軽量なものとなり、その緊張枠３を貼付面Ｓａに宛がうように配備する作業が容易となる。
【００３４】
また、前述のとおり、緊張枠３は、ＰＢＯ繊維シート１が緊張された状態で、緊張台４から取り外すことができるので、ＰＢＯ繊維シート１を緊張させる作業と、ＰＢＯ繊維シート１を貼付面Ｓａに貼り付ける作業とを独立して行うことができる。したがって、例えば、ＰＢＯ繊維シート１を緊張させる作業を予め工場で行い、緊張枠３のみを現場に運搬して、ＰＢＯ繊維シート１を貼り付けることが可能である。あるいは、緊張台４と緊張手段５とを現場に運搬すれば、現場で緊張作業を行うことも可能であり、この場合には、緊張枠３を複数使用することで、貼付面Ｓａへの貼付作業と、次に貼り付けるＰＢＯ繊維シート１の緊張作業とを並行して行うことができる。
【００３５】
なお、本発明は、上述した実施の形態に限定されるわけではなく、その他種々の変更が可能である。例えば、貼付面Ｓａは、床版Ｓの下面でなくとも、側面や上面等であってもよい。また、補強される構造物は、床版Ｓだけでなく、橋脚、桁、梁、柱、その他のコンクリート構造物であってもよく、また、コンクリート製の構造物に限定されるものでもなく、例えば、鉄鋼製の構造物であってもよい。
【００３６】
また、繊維材からなる補強材は、ＰＢＯ繊維シート１でなくとも、炭素繊維、ガラス繊維、アラミド繊維等の、繊維シートであってもよい。また、補強材は、繊維材からなるものでなくとも、ＰＢＯ繊維強化プラスチック、ガラス繊維強化プラスチック、その他の繊維強化プラスチック等の繊維強化材からなるものであってもよい。
【００３７】
また、保持部材８としての雄ネジ部材１７（ボルトＢ）は、第一対向片１２に設けられる必要はなく、第二対向片１６に設けられてもよい。この場合、保持部材８としてのボルトＢは、回動操作によって、第一対向片１２に向かって進んだときに、その頭部Ｂａが前記第一対向片１２に当接する。
【００３８】
また、保持部材８は、図１０に示すように、一端が第二対向片１６に溶接等により固着されるとともに他端側が第一対向片１２の貫通孔１２ａに挿通される雄ネジ棒２０ａと、その雄ネジ棒２０ａに螺合されて、その雄ネジ棒２０ａの軸心方向、すなわち、延設材１０の延びる方向と平行する方向に移動するナット２０ｂとからなってもよい。これによれば、ナット２０ｂを回動操作して、ナット２１を第一対向片１２に向かって進ませ、その第一対向片１２に当接させると、第一対向片１２と第二対向片１６との間隔が保持されることとなる。この雄ネジ棒２０ａは、第二対向片１６ではなく第一対向片１２に溶接されてもよく、この場合には、ナット２０ｂを第二対向片１６に向かって進ませ、その第二対向片１６に当接させることで、第一対向片１２と第二対向片１６との間隔が保持されることとなる。
【００３９】
また、保持部材８は、図１１に示すように、第一対向片１２と第二対向片１６との間に挿通される雄ネジ棒２１ａと、その雄ネジ棒２１ａに螺合されてその軸心方向に移動可能な複数のナット２１ｂ、２１ｂとからなってもよい。これによれば、ナット２１ｂ、２１ｂを回動操作してそれぞれ第一対向片１２と第二対向片１６とに当接させることで、第一対向片１２と第二対向片１６との間隔を保持することができる。
【００４０】
さらに、保持部材８は、第一枠部材６と第二枠部材７の相対位置を保持することができればよく、例えば、第一枠部材６の一部を構成している延設材１０の側壁１０ｃと、第二枠部材７の一部を構成しているガイドプレート１４のそれぞれに、互いに連通する貫通孔を設け、その貫通孔にボルトを挿通させるとともにナットを螺合することで、第一枠部材６と第二枠部材７とを固定するようにしてもよい。
【００４１】
また、緊張手段５は、図示実施の形態のように、第二枠部材７を第一枠部材６から離れるように移動させるものに限らず、第一枠部材６を第二枠部材７から離れるように移動させるものであってもよいし、あるいは、第一枠部材６および第二枠部材７の両方を互いに離れる方向に移動させるものであってもよいし、また、緊張手段５の具体的構成は、図示のものに限定されないことは、当然である。
【図面の簡単な説明】
【００４２】
【図１】この発明に係る補強材の緊張装置の一実施の形態を示す、正面図である。
【図２】同じく、要部拡大正面図である。
【図３】同じく、平面図である。
【図４】同じく、要部拡大平面図である。
【図５】同じく、図２におけるＡ−Ａ線による拡大断面図である。
【図６】同じく、補強材を緊張させた状態を示す、要部拡大正面図である。
【図７】同じく、補強材を緊張させた状態を示す、要部拡大平面図である。
【図８】同じく、補強材を構造物の貼付面に貼り付ける際の正面図である。
【図９】同じく、図８におけるＢ−Ｂ線による拡大断面図である。
【図１０】この発明に係る補強材の緊張装置の保持部材の変形例を示す、図５相当図である。
【図１１】この発明に係る補強材の緊張装置の保持部材の他の変形例を示す、図５相当図である。
【図１２】従来の緊張具を示す正面図である。
【符号の説明】
【００４３】
１    ＰＢＯ繊維シート（補強材）
２    緊張装置                          ３    緊張枠（緊張具）
４    緊張台                            ５    緊張手段
６    第一枠部材（第一支持部材）        ７    第二枠部材（第二支持部材）
８    保持部材                          ９    案内部材
１０  延設材                            １１  第一固定部材
１２  第一対向片                        １６  第二対向片
１７  雄ネジ部材                        １７ａ  当接部
１８  引っ掛け部材                      １９  移動装置
【図１】
2005350885.tif 000003
【図２】
2005350885.tif 000004
【図３】
2005350885.tif 000005
【図４】
2005350885.tif 000006
【図５】
2005350885.tif 000007
【図６】
2005350885.tif 000008
【図７】
2005350885.tif 000009
【図８】
2005350885.tif 000010
【図９】
2005350885.tif 000011
【図１０】
2005350885.tif 000012
【図１１】
2005350885.tif 000013
【図１２】
2005350885.tif 000014